(57)【特許請求の範囲】
【請求項１】
色温度が異なる少なくとも２種類の発光素子からそれぞれ放射される光を混色させた混色光を照射面に向けて照射する照明装置であって、
前記少なくとも２種類の発光素子と、前記照射面の明るさを検出する検出部と、前記検出部の検出結果に基づいて前記少なくとも２種類の発光素子の調光比をそれぞれ制御する制御部と、前記混色光の色温度を設定する設定部とを備え、
前記制御部は、前記混色光の色温度が前記設定部により設定された色温度となるように前記少なくとも２種類の発光素子の調光比をそれぞれ制御し、
前記制御部は、前記検出部により検出された前記照射面の明るさが明るくなるに従って、前記混色光の調光比を低下させ、かつ、前記設定部により設定された色温度に関わらず前記混色光の色温度を前記少なくとも２種類の発光素子の色温度の中間の色温度である第１色温度に近づけるように、前記少なくとも２種類の発光素子の調光比をそれぞれ制御することを特徴とする照明装置。
【請求項２】
前記制御部は、前記第１色温度を外光の色温度に近づけるように、前記少なくとも２種類の発光素子の調光比をそれぞれ制御することを特徴とする請求項１記載の照明装置。
【請求項３】
前記制御部は、前記検出部により検出された前記照射面の明るさに応じて前記混色光の調色比を制御する第１モードと、前記検出部により検出された前記照射面の明るさに関わらず前記混色光の調色比を制御する第２モードとを有し、
前記制御部は、前記第２モードにおいて、前記混色光の調光比が低下する方向に調光されるに従って、前記設定部により設定された色温度に関わらず前記混色光の色温度を前記少なくとも２種類の発光素子のうちで色温度が最も低い発光素子の色温度に近づけるように、前記少なくとも２種類の発光素子の調光比をそれぞれ制御することを特徴とする請求項１又は２記載の照明装置。
【請求項４】
請求項１〜３の何れか１項に記載の照明装置と、前記照明装置を保持する器具本体とを備えることを特徴とする照明器具。
【発明の詳細な説明】
【技術分野】
【０００１】
本発明は、照明装置およびそれを用いた照明器具に関し、より詳細には、発光素子を光源とする照明装置およびそれを用いた照明器具に関する。
【背景技術】
【０００２】
従来、発光色の異なる複数のＬＥＤ（発光ダイオード）を光源とし、昼光（外光）に応じて調光を行う自動調光機能を備えた照明装置が提供されている（例えば特許文献１参照）。特許文献１記載の照明装置は、白色光用のＬＥＤおよび電球色用のＬＥＤ（発光素子）と、各色のＬＥＤの調光レベルを各別に制御する点灯回路部（制御部）と、各色のＬＥＤからの光が照射される被照射面の明るさを検出するセンサ部（検出部）とを備える。
【０００３】
センサ部は、フォトダイオードなどの明るさセンサであり、入射する光量に応じた電圧を点灯回路部へ出力する。そして、点灯回路部は、センサ部より入力される電圧の値が予め設定された目標値となるように各色のＬＥＤの調光レベルを各別に制御する。
【先行技術文献】
【特許文献】
【０００４】
【特許文献１】特開２０１２−１２９０２１号公報
【発明の概要】
【発明が解決しようとする課題】
【０００５】
上述の特許文献１記載の照明装置では、センサ部により昼光も含めた明るさを検出することで昼光に応じた調光を実現できるものの、昼光の色温度に応じて各色のＬＥＤの色温度を調整できるものではなく、時間帯によっては違和感や不快感を感じる場合があった。また、この照明装置では、昼光の色温度に応じて照明光（混色光）の色温度を変更しようとした場合、リモコンによる手動操作が必要であった。
【０００６】
本発明は上記問題点に鑑みてなされており、違和感や不快感の少ない快適な照明空間を実現しつつ利便性を向上させた照明装置およびそれを用いた照明器具を提供することを目的とする。
【課題を解決するための手段】
【０００７】
本発明の照明装置は、色温度が異なる少なくとも２種類の発光素子からそれぞれ放射される光を混色させた混色光を照射面に向けて照射する照明装置であって、前記少なくとも２種類の発光素子と、前記照射面の明るさを検出する検出部と、前記検出部の検出結果に基づいて前記少なくとも２種類の発光素子の調光比をそれぞれ制御する制御部と、前記混色光の色温度を設定する設定部とを備え、前記制御部は、前記混色光の色温度が前記設定部により設定された色温度となるように前記少なくとも２種類の発光素子の調光比をそれぞれ制御し、前記制御部は、前記検出部により検出された前記照射面の明るさが明るくなるに従って、前記混色光の調光比を低下させ、かつ、前記設定部により設定された色温度に関わらず前記混色光の色温度を前記少なくとも２種類の発光素子の色温度の中間の色温度である第１色温度に近づけるように、前記少なくとも２種類の発光素子の調光比をそれぞれ制御することを特徴とする。
【０００８】
本発明の照明器具は、上述の照明装置と、前記照明装置を保持する器具本体とを備えることを特徴とする。
【発明の効果】
【０００９】
本発明の構成によれば、違和感や不快感の少ない快適な照明空間を実現しつつ利便性を向上させた照明装置およびそれを用いた照明器具を提供することができるという効果がある。
【図面の簡単な説明】
【００１０】
【図１】図１Ａは本発明の実施形態に係る照明装置の概略ブロック図、図１Ｂは本発明の実施形態に係る照明装置に用いられる点灯回路部の回路構成図である。
【図２】本発明の実施形態に係る照明装置の動作を説明するグラフである。
【図３】図３Ａおよび図３Ｂは従来の照明装置の動作を説明する説明図である。
【図４】図４Ａおよび図４Ｂは本発明の実施形態に係る照明装置の動作を説明する説明図である。
【図５】図５Ａおよび図５Ｂは本発明の実施形態に係る照明装置の動作を説明するグラフである。
【図６】本発明の実施形態に係る照明器具の分解斜視図である。
【発明を実施するための形態】
【００１１】
本発明の実施形態に係る照明装置１および照明器具１０について、図１〜図６を参照しながら具体的に説明する。ただし、以下に説明する構成は、本発明の一例に過ぎず、本発明は下記の実施形態に限定されない。したがって、この実施形態以外であっても、本発明に係る技術思想を逸脱しない範囲であれば、設計等に応じて種々の変更が可能である。
【００１２】
本実施形態の照明装置１は、図１Ａに示すように、第１光源部１１および第２光源部１２と、第１点灯回路部１３および第２点灯回路部１４と、制御部１５と、力率改善回路１６と、受信部１７と、検出部１８とを備える。
【００１３】
第１光源部１１は、例えば相関色温度６５００Ｋの光（涼色の光）を放射する１乃至複数個の発光ダイオード１１０の直列回路を有する。また、第２光源部１２は、例えば相関色温度２７００Ｋの光（暖色の光）を放射する１乃至複数個の発光ダイオード１２０の直列回路を有する。
【００１４】
第１光源部１１は、発光ダイオード１１０の順電圧に個数を乗じた電圧（以下、駆動電圧という。）が印加されることで電流が流れて発光（点灯）する。また、第２光源部１２は、同様に、発光ダイオード１２０の順電圧に個数を乗じた電圧（以下、駆動電圧という。）が印加されることで電流が流れて発光（点灯）する。ここに、本実施形態では、発光ダイオード１１０，１２０により少なくとも２種類の発光素子が構成される。
【００１５】
なお、日本工業規格（ＪＩＳ  Ｚ９１１０  照明基準総則）において、相関色温度が３３００Ｋ未満の光色が「暖色」、５３００Ｋを超える光色が「涼色」、３３００Ｋ〜５３００Ｋの範囲の光色が「中間色」と定義されている。
【００１６】
力率改善回路１６は従来周知の昇圧チョッパ回路からなり、商用の交流電源１００から供給される交流電圧よりも高い直流電圧を出力する。
【００１７】
第１点灯回路部１３は、力率改善回路１６から出力される直流電圧を所望の電圧値の直流電圧（第１光源部１１の駆動電圧）まで降圧するスイッチング電源回路を有する。また、第２点灯回路部１４は、同様に、力率改善回路１６から出力される直流電圧を所望の電圧値の直流電圧（第２光源部１２の駆動電圧）まで降圧するスイッチング電源回路を有する。
【００１８】
第１点灯回路部１３は、図１Ｂに示すように、降圧チョッパ回路と、降圧チョッパ回路を駆動する駆動回路１３０とで構成される。また、第２点灯回路部１４は、同様に、降圧チョッパ回路と、降圧チョッパ回路を駆動する駆動回路１４０とで構成される。
【００１９】
降圧チョッパ回路は従来周知であって、力率改善回路１６の正極側の出力端子にダイオードＤ１のカソードが接続され、ダイオードＤ１のアノードと力率改善回路１６の負極側の出力端子との間にスイッチング素子Ｑ１および抵抗Ｒ１の直列回路が挿入される。
【００２０】
また、ダイオードＤ１のカソード・アノード間には、電解コンデンサからなる平滑コンデンサＣ１およびインダクタＬ１が直列に接続され、平滑コンデンサＣ１の両端には放電用の抵抗Ｒ２が接続される。さらに、平滑コンデンサＣ１の両端間には、第１光源部１１の発光ダイオード１１０および第２光源部１２の発光ダイオード１２０が直列に接続される。
【００２１】
上述のように構成される降圧チョッパ回路では、スイッチング素子Ｑ１が高周波でスイッチングされることにより、入力電圧（力率改善回路１６の出力電圧）から降圧された直流電圧が平滑コンデンサＣ１の両端より第１光源部１１や第２光源部１２に出力される。また、駆動回路１３０は、制御部１５から与えられる制御信号Ｓ１に応じてスイッチング素子Ｑ１をスイッチングし、駆動回路１４０は、制御部１５から与えられる制御信号Ｓ２に応じてスイッチング素子Ｑ１をスイッチングする。
【００２２】
制御部１５は、マイクロコンピュータやメモリ（例えばＲＯＭ、ＲＡＭ等）などのハードウェアと、ＲＯＭに保存されてマイクロコンピュータで実行されるプログラム（ソフトウェア）とで構成される。そして、以下に説明する制御部１５の動作（処理）は、マイクロコンピュータがプログラムを実行することで実現される。なお、制御部１５の動作電源は、電源回路が力率改善回路１６の出力電圧から作成する。
【００２３】
ここで、制御部１５は、第１点灯回路部１３および第２点灯回路部１４のスイッチング電源回路を間欠動作させ、かつ、間欠動作の周期に対する動作期間（オン期間）のデューティ比を１００％から下限値（例えば５％）の範囲で増減させる。これにより、第１光源部１１および第２光源部１２の光出力を調整（調光）することができる。
【００２４】
つまり、デューティ比が高くなるほど第１光源部１１および第２光源部１２の光出力が増加し、デューティ比が低くなるほど第１光源部１１および第２光源部１２の光出力が減少する。そして、デューティ比が１００％（調光範囲の上限）の場合には、スイッチング電源回路が常時動作して第１光源部１１および第２光源部１２が定格点灯する。なお、以下の説明では、上述したデューティ比を調光比と呼ぶ。
【００２５】
また、本実施形態では、第１光源部１１の発光色（涼色）と第２光源部１２の発光色（暖色）とが異なっている。したがって、制御部１５が第１光源部１１の光出力（調光比）と第２光源部１２の光出力（調光比）との割合を変化させることにより、第１光源部１１および第２光源部１２から照射面に向けて照射される光（以下、照明光と呼ぶ。）の色を暖色と中間色と涼色との間で調整（調色）することができる。
【００２６】
つまり、第１光源部１１の光出力（調光比）の割合が高くなるほど光色が涼色に近くなり、第２光源部１２の光出力（調光比）の割合が高くなるほど光色が暖色に近くなる。そして、第１光源部１１の調光比が０％よりも高く、かつ、第２光源部１２の調光比が０％の場合は光色が涼色となり、第１光源部１１の調光比が０％、かつ、第２光源部１２の調光比が０％よりも高い場合は光色が暖色となる。
【００２７】
なお、以下の説明では、第１光源部１１の調光比と第２光源部１２の調光比との割合（比率）を調色比と呼び、第１光源部１１の調光比と第２光源部１２の調光比との総和（照明光の調光比）を全調光比と呼ぶ。
【００２８】
ここで、本実施形態では、制御部１５を構成するマイクロコンピュータにより、第１光源部１１および第２光源部１２による混色光の色温度を設定できるようになっており、マイクロコンピュータにより設定部が構成される。そして、制御部１５は、混色光の色温度が設定部により設定された色温度となるように、第１光源部１１および第２光源部１２の調光比をそれぞれ調整する。なお、制御部１５の動作については後述する。
【００２９】
受信部１７は、リモートコントローラ（以下、リモコンと略す。）から送信される赤外線信号を受信（受光）するものであって、受信した赤外線信号から復調した制御コードを制御部１５に出力する。そして、制御部１５は、制御コード（調光指令や調色指令）に対応した全調光比および調色比となるように、第１点灯回路部１３および第２点灯回路部１４を制御し、第１光源部１１および第２光源部１２の調光比を調整する。
【００３０】
なお、リモコンから送信される信号は赤外線信号に限らず、電波を媒体とする無線信号や信号線を介した電気信号であってもよい。
【００３１】
検出部１８は、フォトダイオードや太陽電池のような光電変換素子を有し、例えば床面などの照射面の明るさに対応したレベルの電気信号（検出信号）を制御部１５に出力する。
【００３２】
図２は本実施形態の照明装置１の動作を説明するグラフである。図２中の点Ｐ１は、第１光源部１１の調光比と第２光源部１２の調光比との総和である全調光比を１００％に設定した場合であり、このとき第１光源部１１および第２光源部１２による混色光の色温度は２７００Ｋとなる。また、図２中の点Ｐ２は、全調光比を５０％に設定した場合であり、このとき混色光の色温度は２７００Ｋと５０００Ｋの間の値となる。
【００３３】
さらに、図２中の点Ｐ３は、全調光比を７０％に設定した場合であり、このとき混色光の色温度は５０００Ｋと６５００Ｋの間の値となる。また、図２中の点Ｐ４は、全調光比を１００％に設定した場合であり、このとき混色光の色温度は６５００Ｋとなる。
【００３４】
そして、制御部１５は、点Ｐ１〜Ｐ４の何れかに設定された状態から、検出部１８によって検出される照射面の明るさ、言い換えれば外光の光束が増加するに従って、点Ｐ５に近づくように、全調光比を直線的に変化させる。なお、点Ｐ５は、全調光比を５％に設定した場合であり、このとき混色光の色温度は５０００Ｋとなる。
【００３５】
ここに、本実施形態では、上述の色温度５０００Ｋが、第１光源部１１（発光ダイオード１１０）の色温度６５００Ｋと第２光源部１２（発光ダイオード１２０）の色温度２７００Ｋの中間の色温度であり、この色温度が第１色温度である。そして、この第１色温度は、本実施形態のように、外光の色温度（例えば５０００Ｋ）に近づけるようにするのが好ましい。
【００３６】
また、制御部１５は、点Ｐ１〜Ｐ４の何れかに設定された状態から、手動操作により混色光の調光比が低下する方向に調光されるに従って、点Ｐ６に近づくように全調光比を５％まで直線的に変化させる。このとき、混色光の色温度は、設定部により設定された色温度に関わらず２７００Ｋとなる。
【００３７】
つまり、本実施形態では、手動操作により混色光の調光比を低下させる場合、混色光の色温度を第１光源部１１および第２光源部１２のうちで色温度が最も低い第２光源部１２の色温度に近づけるように、第１光源部１１および第２光源部１２の調光比を調整する。これにより、落ち着いた、暖かい雰囲気を実現することができる。ここに、本実施形態では、上述の点Ｐ１〜Ｐ４から点Ｐ５に移動させる自動調光モードが第１モードであり、上述の点Ｐ１〜Ｐ４から点Ｐ６に移動させる手動モードが第２モードである。
【００３８】
図３Ａおよび図３Ｂは従来の照明装置の動作を説明する説明図である。図３Ａは照明光（第１光源部１１および第２光源部１２による混色光）の色温度を６５００Ｋに設定した場合であり、自然光（外光）の光束が増加するに従って照明光の調光比を低下させる。なおこの場合、照明光の色温度は、自然光の光束の大きさに関わらず６５００Ｋで一定である。
【００３９】
また、図３Ｂは照明光の色温度を２７００Ｋに設定した場合であり、同様に、自然光の光束が増加するに従って照明光の調光比を低下させる。なおこの場合も、照明光の色温度は、自然光の光束の大きさに関わらず２７００Ｋで一定である。
【００４０】
上述のように、自然光の光束の大きさに関わらず照明光の色温度を一定とした場合、自然光の光束が増加するに従って照明光の色温度と自然光の色温度との差が大きくなり、時間帯によっては違和感や不快感を感じる場合がある。特に、図３Ｂに示すように、照明光の色温度を暖色（２７００Ｋ）に設定した場合、照明光の色温度と自然光の色温度との差が昼間帯において顕著となる（図３Ｂ中の破線ａ１参照）。
【００４１】
そこで、本実施形態では、照明光の色温度と自然光の色温度との差を小さくするため、自然光の光束が増加するに従って照明光の調光比（全調光比）を低下させ、かつ、設定部により設定された色温度に関わらず照明光の色温度を第１色温度に近づけている。なお、以下の説明では、第１色温度を５０００Ｋ（自然光の色温度）に設定している。
【００４２】
設定部により照明光の色温度を６５００Ｋに設定した場合、制御部１５は、図４Ａに示すように、朝から昼にかけて自然光の光束が増加するに従って、照明光の色温度を第１色温度に近づけるように、６０００Ｋ、５５００Ｋ、５０００Ｋの順に低下させる。このとき、制御部１５は、図５Ａに示すように、照明光の色温度の低下に応じて全調光比も低下させる。その結果、朝から昼にかけて照射面の明るさに寄与する自然光の割合が徐々に大きくなる（図４Ａ参照）。
【００４３】
また、制御部１５は、図４Ａに示すように、昼から夕方、夜にかけて自然光の光束が減少するに従って、照明光の色温度を５５００Ｋ、６０００Ｋ、６５００Ｋの順に上昇させる。このとき、制御部１５は、図５Ａに示すように、照明光の色温度の上昇に応じて全調光比も上昇させる。その結果、昼から夕方、夜にかけて照射面の明るさに寄与する照明光の割合が徐々に大きくなる（図４Ａ参照）。
【００４４】
一方、設定部により照明光の色温度を２７００Ｋに設定した場合、制御部１５は、図４Ｂに示すように、朝から昼にかけて自然光の光束が増加するに従って、照明光の色温度を第１色温度に近づけるように、３０００Ｋ、４０００Ｋ、５０００Ｋの順に上昇させる。このとき、制御部１５は、図５Ｂに示すように、照明光の色温度の上昇に応じて全調光比を低下させる。その結果、朝から昼にかけて照射面の明るさに寄与する自然光の割合が徐々に大きくなる（図４Ｂ参照）。
【００４５】
また、制御部１５は、図４Ｂに示すように、昼から夕方、夜にかけて自然光の光束が減少するに従って、照明光の色温度を４０００Ｋ、３５００Ｋ、２７００Ｋの順に低下させる。このとき、制御部１５は、図５Ｂに示すように、照明光の色温度の低下に応じて全調光比を上昇させる。その結果、昼から夕方、夜にかけて照射面の明るさに寄与する照明光の割合が徐々に大きくなる（図４Ｂ参照）。
【００４６】
本実施形態では、上述のように、自然光の色温度と照明光の色温度との差が顕著になる昼間帯において、照明光の色温度を第１色温度に近づけるように、照明光の調光比（全調光比）および調色比を調整している。これにより、従来の照明装置に比べて自然光の色温度と照明光の色温度との差を小さくすることができ、特に照明光の色温度を暖色（２７００Ｋ）に設定した場合、上述の効果が顕著になる（図４Ｂ中の破線ａ２参照）。
【００４７】
図６は上述の照明装置１を用いた照明器具１０の分解斜視図である。本実施形態の照明器具１０は、例えば引掛シーリングに着脱自在に取り付けられて天井に配置されるものであって、一般にシーリングライトと呼称される照明器具である。なお、本発明に係る技術思想が適用可能な照明器具はシーリングライトに限定されない。
【００４８】
本実施形態の照明器具１０は、器具本体２と、給電部３と、複数（図６では４つ）のＬＥＤユニット４と、配光パネル５と、カバー６とを備える。器具本体２は、金属製の板材によって円盤状に形成され、引掛シーリングと電気的かつ機械的に着脱自在に結合する給電部３が中央部分に配置されている。
【００４９】
ＬＥＤユニット４は、円弧状に湾曲形成された実装基板４０の表面（下面）に複数個の発光ダイオードが弧状に２列に並べて実装されている。各ＬＥＤユニット４の実装基板４０には、第１光源部１１を構成する涼色の発光ダイオード１１０と、第２光源部１２を構成する暖色の発光ダイオード１２０とが混在して実装されている。そして、これらのＬＥＤユニット４は、給電部３を中心とする周方向に並べて器具本体２の下面に取り付けられる。
【００５０】
配光パネル５は、アクリル樹脂やポリカーボネート樹脂などの透光性を有する合成樹脂によって円環状に形成され、４つのＬＥＤユニット４の下面を覆うようにして器具本体２に固定される。配光パネル５における各発光ダイオードとの対向部位には、発光ダイオードから放射される光の配光を制御するための光学部品５０が一体に形成されている。
【００５１】
カバー６は、アクリル樹脂やポリカーボネート樹脂などの透光性を有する合成樹脂により、上面が開口する扁平な円筒形状に形成され、ＬＥＤユニット４および配光パネル５を内部に収納するようにして器具本体２の下面に着脱自在に取り付けられる。ただし、器具本体２に対するカバー６の取付構造については、一般的なシーリングライトにおいて周知な構造であるから、ここでは詳細な説明を省略する。
【００５２】
なお、照明装置１を構成する各部のうちで第１光源部１１および第２光源部１２を除く第１点灯回路部１３、第２点灯回路部１４、制御部１５（設定部を含む）および力率改善回路１６は、器具本体２の上面側における給電部３の周囲に配置される。また、力率改善回路１６は、給電部３との間が給電線により接続されることで、商用の交流電源１００より給電される。
【００５３】
上述のように、本実施形態では、外光の光束が増加するに従って、第１光源部１１および第２光源部１２による混色光の調光比を低下させ、かつ、混色光の色温度を第１色温度に近づけるように、第１光源部１１および第２光源部１２の調光比を調整している。これにより、照明光（混色光）の影響を抑えつつ照明光の色温度を外光の色温度に近づけることができ、その結果、違和感、不快感の少ない快適な照明空間を実現することができる。
【００５４】
また、従来の照明器具のように、照明光の色温度を変更するための手動操作が不要であり、利便性の高い照明装置１を提供することができる。さらに、本実施形態のように、第１光源部１１および第２光源部１２の中間の色温度である第１色温度を外光の色温度に近づけるようにした場合には、より違和感、不快感の少ない照明空間を実現することができる。
【００５５】
また、本実施形態では、外光を考慮しない第２モードにおいて、混色光の調光比が低下する方向に調光されるに従って、混色光の色温度を色温度が最も低い第２光源部１２の色温度に近づけるように、第１光源部１１および第２光源部１２の調光比を調整している。これにより、落ち着いた、暖かい雰囲気を実現することができる。そして、上述の照明装置１を用いることによって、違和感や不快感の少ない快適な照明空間を実現しつつ利便性を向上させた照明器具１０を提供することができる。
【００５６】
なお、発光ダイオードの種類は２種類に限らず、色温度が異なっていれば３種類以上であってもよい。また、発光素子は発光ダイオードに限らず、例えば有機ＥＬ素子であってもよい。また、本実施形態では、図２において点Ｐ１〜Ｐ４から点Ｐ５又は点Ｐ６に変化させる際に直線的に変化させたが、曲線的に変化させてもよく、本実施形態に限定されない。
【００５７】
以上説明したように、本実施形態の照明装置１は、色温度が異なる発光ダイオード１１０，１２０（少なくとも２種類の発光素子）からそれぞれ放射される光を混色させた混色光を照射面に向けて照射する照明装置である。この照明装置１は、発光ダイオード１１０，１２０と、検出部１８と、制御部１５と、設定部（制御部１５を構成するマイコン）とを備える。検出部１８は、照射面の明るさを検出する。制御部１５は、検出部１８の検出結果に基づいて発光ダイオード１１０，１２０の調光比をそれぞれ制御する。設定部は、混色光の色温度を設定する。制御部１５は、混色光の色温度が設定部により設定された色温度となるように、発光ダイオード１１０，１２０の調光比をそれぞれ制御する。制御部１５は、検出部１８により検出された照射面の明るさが明るくなるに従って、混色光の調光比を低下させ、設定部により設定された色温度に関わらず混色光の色温度を第１色温度に近づけるように、発光ダイオード１１０，１２０の調光比をそれぞれ制御する。なお、第１色温度は、発光ダイオード１１０，１２０の色温度の中間の色温度である。
【００５８】
上記構成によれば、外光の光束が増えるに従って、混色光の調光比を低下させ、かつ、混色光の色温度を第１色温度に近づけるように、発光ダイオード１１０，１２０の調光比をそれぞれ制御している。これにより、照明光（混色光）の影響を抑えつつ照明光の色温度を外光の色温度に近づけることができ、その結果、違和感、不快感の少ない快適な照明空間を実現することができる。また、従来の照明器具のように、照明光の色温度を変更するための手動操作が不要であり、利便性の高い照明装置１を提供することができる。
【００５９】
また、本実施形態の照明装置１のように、制御部１５は、第１色温度を外光の色温度に近づけるように、発光ダイオード１１０，１２０の調光比をそれぞれ制御するのが好ましい。
【００６０】
上記構成によれば、照明光（混色光）の色温度を外光の色温度に近づけることができ、より違和感、不快感の少ない照明空間を実現することができる。
【００６１】
また、本実施形態の照明装置１のように、制御部１５は、第１モードと第２モードとを有するのが好ましい。第１モードは、検出部１８により検出された照射面の明るさに応じて混色光の調色比を制御するモードである。第２モードは、検出部１８により検出された照射面の明るさに関わらず混色光の調色比を制御するモードである。そして、制御部１５は、第２モードにおいて、混色光の調光比が低下する方向に調光されるに従って、設定部により設定された色温度に関わらず混色光の色温度を第２色温度に近づけるように、発光ダイオード１１０，１２０の調光比をそれぞれ制御する。なお、第２色温度は、発光ダイオード１１０，１２０のうちで色温度が最も低い発光ダイオード１２０の色温度である。
【００６２】
上記構成によれば、外光を考慮しない第２モードにおいて、混色光の調光比が低下する方向に調光されるに従って、混色光の色温度を第２色温度に近づけるように、発光ダイオード１１０，１２０の調光比をそれぞれ制御している。これにより、落ち着いた、暖かい雰囲気を実現することができる。
【００６３】
本実施形態の照明器具１０は、照明装置１と、照明装置１を保持する器具本体２とを備えることを特徴とする。
【００６４】
上記構成によれば、上述の照明装置１を用いることによって、違和感や不快感の少ない快適な照明空間を実現しつつ利便性を向上させた照明器具１０を提供することができる。
【符号の説明】
【００６５】
１  照明装置
２  器具本体
１０  照明器具
１５  制御部
１８  検出部
１１０，１２０  発光ダイオード（少なくとも２種類の発光素子）
【図１】
0006501181.tif 000002
【図２】
0006501181.tif 000003
【図３】
0006501181.tif 000004
【図４】
0006501181.tif 000005
【図５】
0006501181.tif 000006
【図６】
0006501181.tif 000007